(57)【要約】【課題】太陽光や風力といった天候に影響されず、鳥類に対して効果的に明るい光を放射して、その飛来、接近を防止する鳥類飛来防止装置を提供する。【解決手段】光の放射方向が変化する光源と、内側或いは外側の少なくとも一方の面に複数の凸レンズを設けた光透過性素材でなる光源にかぶせるカバーと、光源を点灯する時間帯を設定する光センサと、を備えた構成を採る。【選択図】図１
2017077235.tif 000002
【特許請求の範囲】
【請求項１】
光の放射方向が変化する光源と、
内側或いは外側の少なくとも一方の面に複数の凸レンズを設けた光透過性素材でなる前記光源にかぶせるカバーと、
前記光源を点灯する時間帯を設定する光センサと、
を備えた鳥類飛来防止装置。
【請求項２】
前記光源は複数個の発光体から成り、前記発光体の点滅制御によって前記放射方向を変化させることを特徴とする請求項１に記載の鳥類飛来防止装置。
【請求項３】
前記点滅制御は前記放射方向が規則的な変化であることを特徴とする請求項２に記載の鳥類飛来防止装置。
【請求項４】
前記点滅制御は前記放射方向が不規則な変化であることを特徴とする請求項２に記載の鳥類飛来防止装置。
【請求項５】
前記光源が放射する光が着色光であることを特徴とする請求項１乃至４のいずれか一項に記載の鳥類飛来防止装置。
【請求項６】
前記カバーが着色されていることを特徴とする請求項１乃至５のいずれか一項に記載の鳥類飛来防止装置。
【請求項７】
前記光センサは予め定めた明るさ以上の場合に前記光源に電源を供給することを特徴とする請求項１乃至６のいずれか一項に記載の鳥類飛来防止装置。
【発明の詳細な説明】
【技術分野】
【０００１】  本発明は、カラスや鳩などの有害鳥類が建物等に飛来、接近するのを阻止し、これらの鳥類による各種の被害を防止する為の鳥類飛来防止装置に関する。
【背景技術】
【０００２】  従来、住宅、病院、工場、駅舎、鉄塔などに鳩やカラスなどが群がることによる糞害が問題となっており、これらの被害を防止する為の各種鳥類飛来防止装置が提案されている。【０００３】  例えば、特許文献１には、太陽光を透明体からなる多数の平面から構成される多面体で反射する鳥類忌避反射基を球体の表面に取り付けて風力により回転させ、さらに鳥類忌避反射基に発光ダイオード等の発光体を取り付けて鳥類の飛来、接近を防止する鳥類飛来防止装置が記載されている。
【先行技術文献】
【特許文献】
【０００４】
【特許文献１】実用新案登録第３１６５７５３号公報
【発明の概要】
【発明が解決しようとする課題】
【０００５】  特許文献１に記載の装置において、曇っていると太陽光の十分な反射光を得ることができない。また、平面から構成される多面体では発光ダイオード等の発光体の光は多面体での反射で弱まって広範囲に十分な光を放射することは困難である。更に、球体を回転させるだけの風が吹かないと球体は回転できず、不規則に明るい光を放射することはできないといった課題があり、十分に鳥類の飛来、接近を防止できない恐れがある。【０００６】  本発明は、この様な従来の問題点を解決するものであり、太陽光や風力といった天候に影響されず、鳥類に対して効果的に明るい光を放射して、その飛来、接近を防止する鳥類飛来防止装置を提供することを目的とする。
【課題を解決するための手段】
【０００７】  本発明の鳥類飛来防止装置は、光の放射方向が変化する光源と、
内側或いは外側の少なくとも一方の面に複数の凸レンズを設けた光透過性素材でなる前記光源にかぶせるカバーと、
前記光源を点灯する時間帯を設定する光センサと、
を備えた構成を採る。
【発明の効果】
【０００８】  本発明によれば、太陽光や風力といった天候に影響されず、鳥類に対して効果的に明るい光を放射して、その飛来、接近を防止する鳥類飛来防止装置を提供できる。
【図面の簡単な説明】
【０００９】
【図１】本発明の一実施の形態に係る鳥類飛来防止装置の構成を説明する為の図
【図２】本発明の一実施の形態に係る鳥類飛来防止装置のカバー内部の構成を説明する為の図
【発明を実施するための形態】
【００１０】  以下、本発明の一実施の形態について図面を参照して詳細に説明する。
【００１１】  図１は、本発明の一実施の形態に係る鳥類飛来防止装置の構成を説明する為の図であり、図２は、本発明の一実施の形態に係る鳥類飛来防止装置のカバー内部の構成を説明する為の図である。鳥類飛来防止装置１は、光源ユニット１１と、光源制御部１３と、カバー２１と、ＥＥスイッチ３１と、リレー３３とを備える。
【００１２】  光源ユニット１１は、６枚のユニット１１ａ，１１ｂ，１１ｃ，１１ｄ，１１ｅ，１１ｆで構成されていて、それぞれのユニットは３個のＬＥＤから構成されていて、横方向及び上方向にオレンジ色の光を放射する。光源制御部１３は、６枚の光源ユニットの点滅動作を制御する。
【００１３】  カバー２１は、オレンジ色に着色された光透過性樹脂で成形され、筒状の胴部２１ａと半球状のドーム部２１ｂとから成り、胴部２１ａの内面にはかまぼこ型の凸レンズ４１が円周状に複数個設けられている。ドーム部２１ｂの内面には半球状の、或いは変形した半球状の凸レンズ４２が複数個設けられている。
【００１４】  ＥＥスイッチ３１は光を取り込む採光穴３１ａを備え、採光穴３１ａは光源ユニット１１から放射される光の影響を受けない位置に設けられている。ＥＥスイッチ３１は制御回路線３７を介してリレー３３を制御する構成となっていて光センサとして動作する。リレー３３は防水リレー受皿３４に配置されている。ＡＣ電源５１から供給される電源は、防水ダクト３５を通り、リレー３３を介して光源制御部１３に電源を供給する。
【００１５】  昼間は採光穴３１ａから入る光が明るく、ＥＥスイッチ３１はオフ状態となり、制御回路線３７の制御によりリレー３３の常閉接点に接続されているＡＣ電源５１から供給される電源はオン状態となり、光源制御部１３に電源は供給される。
【００１６】  光源制御部１３に電源が供給されると、予め設定された順序、例えば、光源ユニット１１ａを一定時間点灯した後消灯し、次に光源ユニット１１ｂを一定時間点灯した後消灯し、次に光源ユニット１１ｃ、光源ユニット１１ｄ、光源ユニット１１ｅ、光源ユニット１１ｆ、そして、次に、光源ユニット１１ａという様に、光の放射方向が回転する様に変化する光源となる。
【００１７】  光源ユニット１１を構成する各ＬＥＤから放射された光は、点灯ＬＥＤの切り替えにより放射方向を変化させながら、カバー２１に形成された凸レンズ４１，４２の各レンズにより屈折して、それぞれ異なる方向と距離の位置で光が収束して、当該ＬＥＤが点灯している間のみ瞬間的に強い光となり、その位置に飛来した鳥の目にその光は飛び込む。
【００１８】  鳥類は一般的に、この種の強烈な輝く光、特にオレンジ色の光を嫌う性質を有しているので、鳥類飛来防止装置１には近づかず、日没前に営巣場所を他に探す。
【００１９】  日没と共に採光穴３１ａから入る光は暗くなり、ＥＥスイッチ３１はオフ状態からオン状態に切り替わり、制御回路線３７による制御によりリレー３３の常閉接点に接続されているＡＣ電源５１から供給される電源はオフ状態となり、光源制御部１３への電源供給は停止し、光源ユニット１１は消灯する。
【００２０】  これにより、住民や病院の入院患者が夜間、鳥類飛来防止装置から放射される光で睡眠を妨害されたりする心配は排除できる。
【００２１】  以上説明した様に、本実施の形態によれば、太陽光や風力といった天候に影響されず、鳥類に対して効果的に明るい光を放射して、その飛来、接近を防止する鳥類飛来防止装置を提供できる。
【００２２】  以上の説明は本発明の好適な実施の形態の例証であり、本発明の範囲はこれに限定されることはない。
【００２３】  例えば、光源は固定された複数のＬＥＤである必要は無く、放射方向が限定された電球やＬＥＤを回転、或いは光源の周囲を、放射方向を決定する反射板を回転させる構造であっても良い。
【００２４】  さらに、光源の変化は光源ユニットの隣接順次点灯による回転に限定されず、例えば、光源ユニット１１ａを点灯し、次に光源ユニット１１ｃ、次に光源ユニット１１ｅ、次に光源ユニット１１ｂ、次に光源ユニット１１ｄ、次に光源ユニット１１ｆ、そして、元に戻って、光源ユニット１１ａといった様に、光源ユニットを１つ或いは２つ飛ばしに点灯しても良いし、乱数等を用いて不規則に各光源ユニットを点灯する様にしても良い。
【００２５】  また、複数枚の光源ユニットを１枚づつ点灯して光の放射方向を変化させる方法に限定されず、同時に複数枚の光源ユニットを点灯させて放射方向を変化させる様にしても良い。
【００２６】  また、各光源ユニットの点灯動作は、単純な１回のオンとオフに限定されず、短時間にオンとオフとを複数回繰り返した後に、次の光源ユニットと点灯動作に移行する様にしても良い。
【００２７】  また、光源ユニットを上下に複数段に分離駆動し、段によって光の放射方向を右回転と左回転と、変化させても良い。また各光源ユニットを構成するＬＥＤは３個に限定されず、何個でも良い。更に、光源ユニットのユニット枚数は６枚に限定されず、光の放射方向を変化できれば何枚でも良い。
【００２８】  また、光源は光の放射方向の変化に加えて、光源全体の点滅動作などの他の動作を途中で挿入しても良い。
【００２９】  また、カバーと光源は共にオレンジ色に限定されず、他の色でも良く、更に、片方だけオレンジ色でも良いし、それぞれ異なる色であっても良い。また、カバーは光透過性樹脂に限定されず、光透過性素材であれば何でも良く、例えば、ガラスでも良い。
【００３０】  また、カバーの周囲に、胴部の上下方向の中ほどにミラー効果を有する例えば鏡面加工された金属製の傘（図示せず）を取り付け、胴部を通過する光の放射を鳥類飛来防止装置の下方にも届く様にして、下方から接近する鳥類の飛来も防止する様にしても良い。
【００３１】  また、凸レンズをカバーの内側に設ける形に限定されず、外側に設けても良いし、両面に設けても良い。また、光源を駆動する電源はＡＣ電源に限定されず、各種電池でも太陽光や風力などによるクリーンエネルギーでも良い。
【００３２】  また、光センサは、一定の明るさ以上となる昼間にスイッチがオンとなる構造であれば、リレーを介さなくても良い。
【００３３】  さらに、鳥類飛来防止装置はカバーを上にした設置方向に限定されず、傾斜した場所に設置しても良く、カバーが地面と並行となる様な壁面に設置しても、或いは、建物のひさしに、カバーが下向きになる様に設置しても良い。
【００３４】  鳥類飛来防止装置の設置は、ボルト等によって堅固に固定する方法に限らず、コイルばね等の支柱を介して、或いはワイヤー等で吊るす様に設置し、風等で揺れる様にしても良い。
【産業上の利用の可能性】
【００３５】  本発明に係る鳥類飛来防止装置は、太陽光や風力といった天候に影響されず、鳥類に対して効果的に明るい光を放射して、その飛来、接近を防止する鳥類飛来防止装置として好適である。
【符号の説明】
【００３６】  １  鳥類飛来防止装置
１１ａ，１１ｂ，１１ｃ，１１ｄ，１１ｅ，１１ｆ  光源ユニット
１３  光源制御部
２１  カバー
２１ａ  胴部
２１ｂ  ドーム部
３１  ＥＥスイッチ
３１ａ  採光穴
３３  リレー
３４  防水リレー受皿
３５  防水ダクト
３７  制御回路線
４１，４２  凸レンズ
５１  ＡＣ電源
【図１】
2017077235.tif 000003
【図２】
2017077235.tif 000004